【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】 
無線受信機における方法であって、
受信した信号を基本として、サーチウインドウの中で時間領域チャネルインパルス応答ＣＩＲを推定するステップであって、そこにおいて、前記信号は複数のパスを経由して受信され、前記パスのそれぞれは対応するパス遅延を有し、
前記複数のパスを経由して受信されたパワーにより重み付けされた前記推定したＣＩＲの平均遅延を計算するステップと、
前記サーチウィンドウの中心と前記重み付けされた平均遅延との遅延誤差を求めるステップと、
前記遅延誤差を減少させるために前記サーチウインドウの位置を調整するステップとを備えることを特徴とする方法。
【請求項２】
前記サーチウィンドウが前記受信信号の前記複数のパスを含む遅延プロファイルを規定することを特徴とする請求項１に記載の方法。
【請求項３】 
前記推定したチャネルインパルス応答に基づいて前記複数のパスの中から１つまたはそれ以上のパスを選択するステップと、
対応する遅延に基づいて前記選択されたパスそれぞれを復調するステップと、
復調された受信信号を生成するために前記復調されたパスを組合わせるステップとを更に備えることを特徴とする請求項２に記載の方法。
【請求項４】
前記計算するステップが、以下の式、
【数１】
2002514032.tif 000001
ここで、Ｎは選択されたパスの数、τｋ’∈（０，１，・・・，Ｎwindow-1）はパス遅延であり、Ｐｋは対応するパスのパワーである、に従って前記平均遅延を求めるために前記ＣＩＲからのパスを選択し、前記選択されたパスに対応するパス遅延及びパワーを処理するステップをさらに備えることを特徴とする請求項２に記載の方法。
【請求項５】
前記遅延誤差を処理し、前記調整ステップにおいて前記処理された遅延誤差を使用するステップを更に備えることを特徴とする請求項１に記載の方法。
【請求項６】
前記処理が線形ローパスフィルタを用いて行われることを特徴とする請求項５に記載の方法。
【請求項７】
前記処理が非線形フィルタリング処理を用いて行われることを特徴とする請求項５に記載の方法。
【請求項８】
前記非線形フィルタリング処理が、以下の式、
【数２】
2002514032.tif 000002
ここで、Ｎは選択されたパスの数、τｋ’∈（０，１，・・・，Ｎwindow-1）はパス遅延であり、Ｐｋは対応するパスのパワーである、に従って前記計算され、重み付けされた平均遅延から遅延拡散を計算するステップと、
あとの期間で受信された前記信号に基づいて前記時間領域ＣＩＲの前記推定を繰り返すステップと、
前記あとのＣＩＲに基づいて前記遅延拡散の前記計算を繰り返すステップと、
前記前者及び前記後者の計算された遅延拡散の間での差を求めるステップと、
前記差が閾値以下であれば、調整信号を前記遅延誤差に設定するステップと、
前記差が前記閾値より大きければ、前記調整信号を０に設定するステップとを含むことを特徴とする請求項４又は７に記載の方法。
【請求項９】
現在の遅延拡散が０であり、前記差が前記閾値以下であるときに、
第１の状態において、前記調整信号をその符号が前記遅延誤差の極性に依存する調整の大きさの閾値に設定するステップと、
第２の状態において、前記調整信号を前記誤差に設定するステップとを更に備えることを特徴とする請求項８に記載の方法。
【請求項１０】
前記調整信号を積分するステップと、
前記サーチウィンドウの前記位置を調整するのに前記積分した調整信号を適用するステップとを更に備えることを特徴とする請求項８に記載の方法。
【請求項１１】
前記積分するステップの前に前記調整信号をローパスフィルタリングするステップを更に備えることを特徴とする請求項１０に記載の方法。
【請求項１２】
前記調整信号を用いて前記選択されたパスに対する遅延を調整するステップを更に備えることを特徴とする請求項８に記載の方法。
【請求項１３】
前記信号は複数のセクタから受信され、前記推定するステップにおいて、前記ＣＩＲは対応するチャネル推定器を用いて各セクタに対して推定される方法であって、
それぞれが前記受信信号の複数のパスのいくつかを含む遅延プロファイルを規定するサーチウィンドウを、各チャネル推定器に関連して規定するステップと、
前記チャンネル推定器のそれぞれにより生成された前記遅延プロファイルからの前記複数のパスのなかで、強いパワーを伴うパスを選択するステップと、を更に備え、
前記計算するステップにおいて、前記重み付けされ、計算された平均遅延は前記選択されたパスに基づくものであることを特徴とする請求項１乃至５及び７のいずれか１項に記載の方法。
【請求項１４】
前記遅延プロファイルに関連した前記サーチウィンドウそれぞれが同じ長さであり、全てのサーチウィンドウが同期されており、前記調整を行うステップが、前記遅延誤差を減少させるため、前記サーチウィンドウの位置を補正するのに使用される調整信号を生成するステップを更に備えることを特徴とする請求項１３に記載の方法。
【請求項１５】
対応する遅延に基づいて前記選択されたパスそれぞれを復調するステップと、
復調された受信信号を生成するために前記復調されたパスを組合わせるステップとを更に備えることを特徴とする請求項１３に記載の方法。
【請求項１６】
複数のパスを介して受信した信号の時間領域チャンネルインパルス応答ＣＩＲを推定するウィンドウを伴うサーチャを備える無線受信機で使用されるサーチウィンドウトラッキングユニットであって、
前記受信信号の前記複数のパスの遅延及び大きさの値を受信する入力を伴い、前記パスを介して受信された前記パワーにより重み付けされた時間領域チャネルインパルス応答ＣＩＲの平均遅延を求めるように構成されたプロセッサと、
重み付けされた平均遅延を受信する前記プロセッサからの入力と、前記サーチウィンドウの位置において情報を受信する入力を伴い、前記重み付けされた平均遅延と前記サーチウィンドウの位置との誤差を求めるように構成された誤差検出器と、
前記誤差を減少させるため前記サーチウィンドウの位置を調整することを意図された出力において、前記誤差検出器により生成された前記誤差に基ずいて調整信号を生成するように構成されたコントローラとを備えることを特徴とするサーチウィンドウトラッキングユニット。
【請求項１７】
前記コントローラが線形ローパスフィルタであることを特徴とする請求項１６に記載のサーチウィンドウトラッキングユニット。
【請求項１８】
前記プロセッサが前記サーチウィンドウの中心位置、及び前記平均ＣＩＲ位置と前記中心位置との差を求めることを特徴とする請求項１６に記載のサーチウィンドウトラッキングユニット。
【請求項１９】
前記プロセッサが更に、前記ＣＩＲを受信するための入力を有し、前記ＣＩＲを用いて前記誤差を減少させる調整信号を生成するように構成されることを特徴とする請求項１８に記載のサーチウィンドウトラッキングユニット。
【請求項２０】
前記コントローラは、時間的に連続する複数のＣＩＲを受信し、連続して受信したＣＩＲ間の差を求め、前記差が閾値以下であれば前記調整信号を前記誤差信号に設定し、あるいは前記差が前記閾値より大きければ前記調整信号を０に設定するように構成されることを特徴とする請求項１９に記載のサーチウィンドウトラッキングユニット。
【請求項２１】
前記コントローラ出力からの入力により前記調整信号を積分する積分器を更に備え、
前記積分された調整信号が前記サーチウィンドウの前記位置を変更するように意図されていることを特徴とする請求項２０に記載のサーチウィンドウトラッキングユニット。
【請求項２２】
前記コントローラからの入力により前記調整信号を受信し、前記積分器に前記フィルタされた調整信号を供給する前に前記調整信号をフィルタリングするローパスフィルタを更に備えることを特徴とする請求項２１に記載のサーチウィンドウトラッキングユニット。
【請求項２３】
ウィンドウの中で時間領域チャンネルインパルス応答ＣＩＲを生じるサーチャと、
前記サーチャからの入力で、前記ＣＩＲの複数のパスの遅延及び大きさの値を受信し、前記サーチウィンドウの位置にある情報を受信し、前記サーチャに接続された出力で、前記ウィンドウの前記位置を制御する、請求項１６に記載されたサーチウィンドウトラッキングユニットと、を備えることを特徴とする無線基地局。
【請求項２４】
各セクタが、対応する遅延を有する複数のパスを含む移動局からの信号をそれぞれが受信する１つ以上のアンテナを有している、複数のセクタと、
各々が、受信信号に対する時間領域チャネルインパルス応答ＣＩＲを推定し、ウィンドウの幅がサンプリング間隔に対応するＮ個の遅延間隔によって規定されるサーチウィンドウ内の遅延プロファイルを生成する、前記複数のセクタのそれぞれに対するチャネル推定器及び、
各チャネル推定器によって生成された前記遅延プロファイルからパスを選択し、各選択されたパスに対する遅延及び大きさを生成するパスセレクタ、
を含むマルチパスサーチプロセッサと、
前記選択されたパスから受信されたパワーにより重み付けされた平均遅延を計算し、サーチウィンドウの中心位置と前記重み付けされた平均遅延が減少するように、前記サーチウィンドウの位置を制御するように構成されたウィンドウトラッキングユニットと、
前記選択されたパスを復調し、復調されたパスを組み合わされた受信信号に組合わせる復調器とを備えることを特徴とする無線基地局。
【請求項２５】
各セクタに対し２つのダイバーシティアンテナを備え、前記ダイバーシティアンテナの１つを選択するセクタセレクタを更に備えることを特徴とする請求項２４に記載の無線基地局。
【請求項２６】
前記ウィンドウトラッキングユニットが、前記重み付けされた平均遅延とＮ／２の遅延間隔との誤差を求めるように構成され、さらに前記誤差を減少させるために各サーチウィンドウの前記位置を調整するように構成されることを特徴とする請求項２４に記載の無線基地局。
【請求項２７】
前記ウィンドウトラッキングユニットが、前記誤差を減少させるための前記サーチウィンドウそれぞれのシフトに用いられる調整信号を生成するように構成されることを特徴とする請求項２６に記載の無線基地局。
【請求項２８】
前記ウィンドウトラッキングユニットが、連続した反復に対する平均遅延から遅延拡散を計算し、連続した遅延拡散の間の差を求め、前記差が閾値以下であれば調整信号を前記誤差信号に設定する、あるいは前記差が前記閾値より大きければ前記調整信号を０に設定する、ように構成されたコントローラを含むことを特徴とする請求項２７に記載の無線基地局。
【請求項２９】
前記ウィンドウトラッキングユニットが、前記調整信号を積分する積分器を含み、前記サーチウィンドウの前記位置を変更するために、前記積分された調整信号が前記チャンネル推定器に供給されることを特徴とする請求項２８に記載の無線基地局。